(57)【要約】【課題】ブラインドの上部は遮光し下部は透光が出来、逆に上部は外光を入れ下部は人目遮断を望む。特に最近のパソコンブームで画面の光り防止のうえから顕著である。【解決手段】垂直の梯子形支持コート゛２で、複数の水平スラット３を垂直方向に一定の間隔で支持し、該支持コート゛２の前側垂直部分と後側垂直部分を相対的に上下に移動し、スラット３を移動させて遮光の調整する窓用ブラインドで、垂直支持コート゛２ちじめるとそのブラインドのスラット３　の角度が変えられる。その角度はブラインド上部の角度変更部により変えられる。スラット３を支える垂直支持コート゛２にフック６とパイプ７とフックを留めるネジ類からなる該フック固定具を用いる事やＵ字形フックの表面とパイプ７の内面の低抗でとめるフック固定具を用いる事でブラインドのスラット３の角度をかえる事により可能になる。【選択図】　　図７
2004011252.tif 000002
【特許請求の範囲】
【請求項１】
垂直の梯子形支持コート゛２によって、複数の水平スラット３を垂直方向に一定の間隔で支持し、該支持コート゛２の前側垂直部分と後側垂直部分を相対的に上下に移動させることによりスラット３を移動させて遮光の調整を行うようにした窓用ブラインドにおいて、垂直支持コート゛２の１ヶ所にフック６あるいはフック１３をかけパイプ７内に引き込むことにより２枚のスラット３の片側間の距離を締めることにより，その部分を境にブラインドの上部と下部で透光率を変える機能を与えるフック固定具。
【発明の詳細な説明】
【０００１】
【発明の属する技術分野】
本発明は窓用ブラインドに従来より有する機能にさらに優位な機能を与えるフック固定具に関する。
【０００２】
【従来の技術】
従来の窓用ブラインドは閉状態か開状態もしくはブラインドを窓の上までか、途中までで使われている。公開実用新案公報　昭５５−１１６１９４には該特許に類似しているがそれに使用されるつまみ部材がスラット巾により大きさの点で変えなければならず、又，完全に窓上部にブラインドを上げた場合つまみ部材の縦長さ分は隙間がでる問題があった。　さらにつまみ部材のブラインドへの装着には十円玉の様なドライバー機能のものを用いる煩わしさがあった。
【０００３】
【特許が解決しょうとする課題】
現状、窓用ブラインドを昼間用いるのは、パソコン使用時の画面の光り防止の遮光あるいは減光或いは人目から室内を遮断する目的で用いられているが、屋外からの採光がさまたげられ、昼間も電灯を点ける必要があり、経済面や環境で良くなく、さらに閉鎖的雰囲気による気分の不快感を引き起こしていた。
【０００４】
さらに、窓用ブラインドの下端を窓の中間位置まで下ろして遮光や減光をお
こない窓の視野を遮断しない方法もあるが，外観的に良くない。
【０００５】
そこで，窓用ブラインドを下まで下ろした状態で、ブラインドの下部は閉じ、人の目より室内を遮断し、上部は開いている状態で屋外光が利用でき、かつ屋外の風景が眺められるブラインドの開発が望まれた。
【０００６】
【課題を解決するための手段】
上記の目的のために、ブラインドの垂直支持コート゛２の一ヶ所にフックをかけパイプ内に引き込むことにより２枚のスラットの片側間のそれを縮めることによりそのかけた部分を境にブラインドの上部と下部で透光率を変える事のできるフック固定具の使用で解決できる。
【０００７】
【発明の実施の形態】
図１は該特許願の上下で異なる開閉状態が出来得る窓用ブラインドの斜視図である。垂直の梯子形支持コート゛２によって、複数の水平スラット５を垂直方向に一定の間隔で支持し、該支持コート゛２の前側垂直部分と後側垂直部分を相対的に上下に移働させることにより、スラット３を移動させて、遮光の調整を行うようにした窓用ブラインドに、該特許願のフック固定具を垂直支持コード２のＢ−１点、Ｂ−２点に取り付けると、Ｂ−１点とＢ−２点を境にして、スラット３の角度が変わり透光率にも差が出る。へッドボックス１を元来よりの方法の操作で角度を変える事により，ブラインドの下部は閉じて、外部からの視野を遮断し、上部は開いて日光を取り入れる事が出来る。また　ヘッドボックス１を逆方向に角度を変えることにより、上部は閉じて日光の入射を防ぎ、下部は開いて外がみられるようになる。
【０００８】
図２はブラインドの側面図である。ヘッドボックス１を水平に保ち、垂直支持コード２−１の一部をＡの様にに引き締めることにより、Ａ点に近接の上部と下部のスラットの前側縁が互いに密接され、上部は開いたままで、下部は閉じた状態となり、その上部は透光率が最大で、下部は透光率低減の状態になる。
【０００９】
図３はブラインドの側面図である。ヘッドボックス１を傾けた状態で、垂直支持コード２−１の一部をＡの様にに引き締めることにより、Ａ点に近接の上部と下部のスラットの前側縁が互いに密接され、下部は開いたままで、上部は閉じた状態となり、その下部は透光率が最大で、上部は透光率低減の状態になる。
【００１０】
図４はブラインドの側面図である。ヘッドボックス１を傾けた状態で、垂直支持”コート゛２−１の隣接する２ヶ所Ａ―１、Ａ−２の様に引き締め、Ａ−１点，Ａ−２点に隣接する上部と下部のスラット３の前側縁が互いに密接され、下部は開いたままにすると、上部は閉じた状態はいっそう顕著となり、その上部の透光率はゼロに近くまで低下できる。
【００１１】
図５は該特許願のフック固定具Ｃの斜視図で、フック６の先端で垂直支持コート゛２をフック６を引き易いためのビーズ８を持って引きながらパイプ７に入れ、ローレットネジ９でずれない様に目的に合った任意の位置でフック６を締めつける。この時ビーズ８は円形でも角形でもループ状でもよい。又パイプ７は円筒形でも楕円形でも角形でもよく，ネジきりをしておく。ローレットネジ９は普通のネジ類でも良い。
【００１２】
図６は該特許願のフック固定具Ｄの斜視図である。フック６の先端で垂直支持コード２をフック６を引き易いためのビーズ８を持って引きながらパイプ７に入れ、ネジ１２の先端に穴をあけ、フック６を通し、ローレット形ナット１０を付け、ローレット形ナット１０でずれない様に目的に合った任意の位置でフック６を締めつける。この時ビーズ８は円形でも角形でもループ状でもよい。又パイプは円筒形でも楕円形でも角形でもよく、穴をあけておく。　ローレットナツト１０は普通のナット類でも良い。
【００１３】
図７はフック固定具の使用法の流れ図である。ブラインド中の任意の２枚のスラット３の間の垂直支持コート゛２にフック６を引っ掛けパイプ７にスラット３の片側の距離が短くなるように引き入れる。そして図５のローレットネジ９や図６のローレットナット１０とネジ１１のくみ合わせやパイプ７内壁にゴムのような弾力性体を付着させ、それとフック６の抵抗力で保持する。
【００１４】
図８は該特許願はフック固定具Ｅの外形図とその使用法の流れ図である。（１）ブラインド中の任意の２枚のスラットの間の垂直支持コート゛２にＵ字形フック１３を引っ掛ける（２）パイプ７にスラット３の片側の距離が短くなるように引き入れる。この時、Ｕ字形フック１３の表面が荒れた面や、凹凸面とパイプ内壁の荒れた表面や凹凸面もしくはゴムのような弾性体との摩擦力抵抗力で保持する事が出来る。（３）この場合、Ｕ字形フック１３やパイプ７がゴムやプラスチックのような樹脂状物体であれば、引っ張り込まれた垂直支持コート゛２を切らない様にしながら、Ｕ字形フック１３とパイプ７を短く切る事も出来る。（４）さらに、美観を向上させるために、カラーボウル１４や着色シートや柄物シートを取り付ける事ができる。
【００１５】
【発明の効果】
ブラインドを窓の下まで下ろしたままで、縮めた垂直支持コート゛２の任意の位置の下部にあるスラット３は閉じ、パソコンの使用時に画面が光って見えなかったり、非常に目が疲れる事が無くなり、人目より室内を遮断し、上部は開いた状態で外部の風景が見られ、また外光を利用出来て、照明費が低減できる。結果として環境問題やエネルギー問題の解決の一助になる。
【００１６】
また、ブラインドのヘッドボックス１　内の透過率調整具を動かすことにより、上部と下部の透光率が変更でき、前述した下部は閉じ、上部は開いた状態から逆に、下部は開き、上部は閉じの状態が作れ、窓の上方よりの強い外光をさえぎり，下方は柔らかい光を室内に取り入れる事もできる。
【００１７】
さらに、ブラインドのヘッドボックス１内の操作コート゛５を動かした場合でも、透光率の上下での違いは保たれる。また公開実新　昭５５−１１６１９４での問題点はない。
【００１８】
該特許願はすでに室内に設置されているブラインドにも、透光率を部分的に変えるために、適応できる。
【図面の簡単な説明】
【図１】本考案に係わる可変式ブラインドの斜視図である。
【図２】ブラインドのヘッドボックス１を水平に保た側面図である。
【図３】ブラインドのヘッドボックス１を片側に傾けた側面図である。
【図４】はブラインドのヘッドボックス１を片側に傾け、かつ、該特許願のフック固定具を２個装着した時の側面図である。
【図５】フック固定具Ｃ　の斜視図である。
【図６】フック固定具Ｄの斜視図である。
【図７】ブラインドの垂直支持コート゛２を引き締め時のフック固定具の取り付け流れ図である
【図８】フック固定具Ｅの斜視図である。
【符号の説明】
１…ヘッドボックス、２…垂直支持コート゛、３…スラット，４…ボトムレール、５…操作　コート゛、６…フック、７…パイプ、８…ビーズ、９…ローレットネジ、１０…ローレットナ”　ット、１１…ネジ、１２…中央支持コート゛，１３…Ｕ字形フック、１４…カラーボール”
【図１】
2004011252.tif 000003
【図２】
2004011252.tif 000004
【図３】
2004011252.tif 000005
【図４】
2004011252.tif 000006
【図５】
2004011252.tif 000007
【図６】
2004011252.tif 000008
【図７】
2004011252.tif 000009
【図８】
2004011252.tif 000010